【事件の表示】
　特願２００９−５４９６０５「ＬＴＥ／ＥＵＴＲＡＮからＧＰＲＳ／ＧＥＲＡＮへのハンドオーバをサポートする方法および装置」拒絶査定不服審判事件〔平成２０年　８月２１日国際公開、ＷＯ２００８／１００４９０、平成２２年　６月　３日国内公表、特表２０１０−５１９８０９〕について、次のとおり審決する。
【結　論】
　本件審判の請求は、成り立たない。
【理　由】
１．手続の経緯
　本願は、平成２０年２月１２日（パリ条約による優先権主張　２００７年２月１２日（ＵＳ）アメリカ合衆国）を国際出願日とする出願であって、平成２４年１月１２日付けで拒絶査定がなされ、これに対し、同年５月１７日に拒絶査定に対する審判請求がなされるとともに、手続補正がなされたものである。
　
２．本願発明
　平成２４年５月１７日付けの手続補正は、特許請求の範囲の請求項の削除を目的とした適法なものであるから、本願の請求項１に係る発明（以下、
「本願発明」という。）は、この手続補正によって補正された特許請求の範囲の請求項１に記載された事項により特定される、以下のとおりのものである。
　
「デュアルモード無線送受信ユニット（ＷＴＲＵ）であって、
　ロングタームエボリューション（ＬＴＥ）／発展型ユニバーサル陸上無線アクセスネットワーク（ＥＵＴＲＡＮ）セル内で無線通信を受信しながら、グローバルシステムフォーモバイル（ＧＳＭ）／ＧＳＭ進化型高速データ伝送（ＥＤＧＥ）無線アクセスネットワーク（ＧＥＲＡＮ）セル情報を受信するように構成される受信機と、
　移動元ＬＴＥセルからＧＥＲＡＮセル情報を使用する移動先ＧＥＲＡＮセルを含む他の無線カバレッジエリアにハンドオーバするために使用されることになるＬＴＥ周波数およびＧＥＲＡＮ周波数に対する測定を行うために、利用可能なセルおよびそれらの利用可能なセルの技術のリストを受信するように構成されるプロセッサと、
　前記ＧＥＲＡＮ周波数に対する測定の測定報告を、移動元発展型ノードＢ（ｅＮＢ）に送信するように構成される送信機と
を具えたデュアルモード無線送受信ユニット（ＷＴＲＵ）。」
　
３．引用例
３−１．引用例１
　原査定の拒絶の理由に引用された米国特許出願公開第２００７／００２１１２０号明細書（２００７年１月２５日公開　以下、「引用例１」とい
う。）には、図面とともに以下の記載がなされている。
　
（１）「［0002］I. Field 
　
［0003］ The present disclosure relates generally to communication, and more specifically to techniques for performing handover between wireless communication networks using different radio access 
technologies. 」
　
（２）「SUMMARY  
　
［0008］ Techniques for performing inter-system handover of a user 
equipment (UE) from a first radio access network (RAN) to a second 
RAN are described herein. The second RAN may be a Universal 
Terrestrial Radio Access Network (UTRAN), and the first RAN may be 
an Evolved UTRAN (E-UTRAN), or vice versa. The E-UTRAN is a new RAN with enhanced performance. The first and second RANs may also be 
RANs of other radio access technologies. 」
　
（３）「［0027］ E-UTRAN  130  includes Evolved Node Bs coupled to 
Access Gateways. An Evolved Node B may also be referred to as a basestation, an E-Node B, an eNode B, an eNB, and so on. An Access 
Gateway may also be referred to as an AGW, an aGW, an anchor, and soon. For simplicity, only three E-Node Bs  132 a, 132 b and  132 c 
and one AGW  134  are shown in  FIG. 1 . E-Node Bs  132  provide 
radio communication for UEs within their coverage and may perform 
radio resource management. AGW  134  provides control for E-Node Bs 
132 . AGW  134  may include a Mobility Management Entity (MME) and 
a User Plane Entity (UPE). The MME may perform mobility management 
functions, e.g., distribution of paging messages to the E-Node Bs. 
The UPE may perform functions to support data exchanges on a user 
plane. 」
　
（４）「［0031］ A UE  110  may be capable of communicating with 
UTRAN  120  and E-UTRAN  130 . UE  110  may also be referred to as 
a mobile station, an access terminal, or some other terminology. 
UE  110  may be a cellular phone, a personal digital assistant 
(PDA), a subscriber unit, a wireless modem, a wireless device, 
a terminal, and so on. 」
　
（５）「［0037］ FIG. 3B  shows UE  110  moving out of the coverage of E-UTRAN  130 . While in communication with E-Node B  132 a in 
E-UTRAN  130 , UE  110  may periodically search for signals from 
nearby Node Bs and E-Node Bs in order to detect for any Node Bs and E-Node Bs that are better than the current serving E-Node B  132 a. 
UE  110  may send measurement reports to AGW  134 . In this example,
UE  110  detects the signal from Node B  122 c to be stronger than 
the signal from E-Node B  132 a by a sufficient amount to merit 
handover from E-Node B  132 a to Node B  122 c. 」
　
（６）「［0054］ The inter-system handover techniques may also be 
used for handover from an E-UTRAN to other RANs such as a GSM/EDGE 
RAN (GERAN). A message flow similar to the one shown in  FIG. 4  may
 be used, albeit with different network entities and messages. 」
　
（７）「［0057］ FIG. 7  shows an embodiment of a process  700  
performed by an AGW to support inter-system handover. Measurement 
reports are received from a UE for base stations in a first RAN and a second RAN (block  712 ). The first RAN may be an E-UTRAN, and thesecond RAN may be a UTRAN. The first and second RANs may also be 
other RANs. Handover of the UE from the first RAN to the second RAN is initiated based on the measurement reports (block  714 ). 
A message requesting handover of the UE from the first RAN to the 
second RAN is then sent to a first network entity (e.g., an Inter-AS Anchor) for the first RAN communicating with a second network 
entity (e.g., an SGSN) for the second RAN via a Gn interface (block  716 ). 」
　
　引用例１のパテントファミリである特表２００９−５０３９４１号公報の対応する記載は以下のとおりである。
　
（１’）「【０００２】
　［分野］
　本開示は、一般に通信に関し、より具体的には、異なる無線アクセス技術を使用する無線通信ネットワーク間でハンドオーバを実行するための技法に関する。」
　
（２’）「【０００６】
　［概要］
　本明細書では、第１の無線アクセスネットワーク（ＲＡＮ；radio access network）から第２のＲＡＮへのユーザ機器（ＵＥ；user equipment）のシ
ステム間ハンドオーバを実行するための技法が説明される。第２のＲＡＮ
は、ユニバーサル地上無線接続網（Universal Terrestrial Radio Access 
Network(ＵＴＲＡＮ)）とすることが可能であり、第１のＲＡＮは進化した
(Evolved)ＵＴＲＡＮ（Ｅ−ＵＴＲＡＮ）とすることが可能であるか、また
はその逆が可能である。Ｅ−ＵＴＲＡＮは、性能が強化された新しいＲＡＮである。第１および第２のＲＡＮは、他の無線アクセス技術のＲＡＮとすることもできる。」
　
（３’）「【００１５】
　Ｅ−ＵＴＲＡＮ　１３０は、アクセスゲートウェイに結合されたＥｖｏｌｖｅｄ　Ｎｏｄｅ　Ｂを含む。Ｅｖｏｌｖｅｄ　Ｎｏｄｅ　Ｂは、基地局、Ｅ−Ｎｏｄｅ　Ｂ、ｅＮｏｄｅ　Ｂ、ｅＮＢなどと呼ばれる場合もある。アクセスゲートウェイは、ＡＧＷ、ａＧＷ、アンカなどと呼ばれる場合もあ
る。話を簡単にするために、図１には３つのＥ−Ｎｏｄｅ　Ｂ、１３２ａ、１３２ｂ、および１３２ｃと、１つのＡＧＷ　１３４のみが示されている。Ｅ−Ｎｏｄｅ　Ｂ　１３２は、それらのカバレッジ内のＵＥに無線通信を提供し、無線リソース管理を実行することができる。ＡＧＷ　１３４は、Ｅ−Ｎｏｄｅ　Ｂ　１３２に制御を提供する。ＡＧＷ　１３４は移動性管理エンティティ（ＭＭＥ）およびユーザプレーンエンティティ（ＵＰＥ）を含むことができる。ＭＭＥは、たとえばＥ−Ｎｏｄｅ　Ｂへのページングメッセージの配信などの、移動性管理機能を実行することができる。ＵＰＥは、ユーザプレーン上のデータ交換をサポートするための機能を実行することができる。」
　
（４’）「【００１９】
　ＵＥ　１１０は、ＵＴＲＡＮ　１２０およびＥ−ＵＴＲＡＮ　１３０と通信可能な場合がある。ＵＥ　１１０は移動局、アクセス端末、または何らかの他の用語で呼ばれる場合もある。ＵＥ　１１０は、携帯電話、携帯情報端末（ＰＤＡ）、加入者ユニット、無線モデム、無線デバイス、端末などとすることができる。」
　
（５’）「【００２５】
　図３Ｂは、Ｅ−ＵＴＲＡＮ　１３０のカバレッジ外を移動するＵＥ　１１０を示す。ＵＥ　１１０は、Ｅ−ＵＴＲＡＮ　１３０内のＥ−Ｎｏｄｅ　Ｂ　１３２ａと通信しながら、現在のサービス提供Ｅ−Ｎｏｄｅ　Ｂ　１３２ａよりも良好な任意のＮｏｄｅ　ＢおよびＥ−Ｎｏｄｅ　Ｂを検出するために、近くのＮｏｄｅ　ＢおよびＥ−Ｎｏｄｅ　Ｂからの信号を定期的に探索することができる。ＵＥ　１１０は、ＡＧＷ　１３４に測定レポートを送信することができる。この例では、ＵＥ　１１０は、Ｎｏｄｅ　Ｂ　１２２ｃからの信号が、Ｅ−Ｎｏｄｅ　Ｂ　１３２ａからＮｏｄｅ　Ｂ　１２２ｃへのハンドオーバに値する十分な量だけ、Ｅ−Ｎｏｄｅ　Ｂ　１３２ａからの信号よりも強いことを検出する。」
　
（６’）「【００４２】
　システム間ハンドオーバ技法は、Ｅ−ＵＴＲＡＮから、ＧＳＭ／ＥＤＧＥ　ＲＡＮ（ＧＥＲＡＮ）などの他のＲＡＮへのハンドオーバにも使用することができる。異なるネットワークエンティティおよびメッセージを伴うが、図４に示されたものと同様のメッセージ流れを使用することができる。」
　
（７’）「【００４５】
　図７は、システム間ハンドオーバをサポートするためにＡＧＷによって実行されるプロセス７００の実施形態を示す。第１のＲＡＮおよび第２のＲＡＮ内の基地局についての測定レポートがＵＥから受け取られる（ブロック７１２）。第１のＲＡＮはＥ−ＵＴＲＡＮとすることが可能であり、第２のＲＡＮはＵＴＲＡＮとすることが可能である。第１および第２のＲＡＮは他のＲＡＮとすることもできる。第１のＲＡＮから第２のＲＡＮへのＵＥのハンドオーバが測定レポートに基づいて開始される（ブロック７１４）。第１のＲＡＮから第２のＲＡＮへのＵＥのハンドオーバを要求するメッセージが、Ｇｎインターフェースを介して第２のＲＡＮ用の第２のネットワークエン
ティティ（たとえばＳＧＳＮ）と通信している、第１のＲＡＮ用の第１の
ネットワークエンティティ（たとえばインターアクセスシステムアンカー）に送信される（ブロック１７６）。」
　
　上記（６）に示されているＥ−ＵＴＲＡＮから、ＧＳＭ／ＥＤＧＥ　ＲＡＮ（ＧＥＲＡＮ）へのシステム間ハンドオーバの場合についてみれば、引用例１には次の発明（以下、「引用発明１」という。）が記載されているといえる。
　
「Ｅ−ＵＴＲＡＮから、ＧＳＭ／ＥＤＧＥ　ＲＡＮ（ＧＥＲＡＮ）へ、システム間ハンドオーバするＵＥであって、Ｅ−ＵＴＲＡＮ内のＥ−Ｎｏｄｅ
Ｂと通信しながら、現在のサービス提供Ｅ−Ｎｏｄｅ　Ｂよりも良好な任意のＮｏｄｅ　ＢおよびＥ−Ｎｏｄｅ　Ｂを検出するために、近くのＮｏｄｅ　ＢおよびＥ−Ｎｏｄｅ　Ｂからの信号を定期的に探索することができ、ＡＧＷに測定レポートを送信することができるＵＥ。」
　
３−２．引用例２
　原査定の拒絶の理由に引用された米国特許出願公開第２００６／０２７６１９０号明細書（以下、「引用例２」という。）には、図面とともに以下の記載がなされている。
　
（８）「［0003］ Different types of wireless access systems have 
been developed to provide different types of services. Some examples of the wireless access systems include wireless local area networks (WLANs), (such as IEEE 802-based networks), and cellular networks, 
(such as universal mobile telecommunication systems (UMTS) 
terrestrial radio access network (UTRAN), an evolved UTRAN 
(E-UTRAN), a GPRS/EDGE radio access network (GERAN), or the like). 
Each of these networks have been developed and tailored to provide 
specific applications. 」
　
（９）「［0005］ The present invention is related to a method and 
apparatus for implementing a handoff between RANs deployed under 
different RATs. A WTRU is equipped with at least two radio units to support the RATs. Each RAN sends a list of co-located RANs in the 
coverage area of the RAN to the WTRU. The WTRU stores the list and 
determines whether handoff criteria is met by one of the co-located RANs. The WTRU then initiates a handoff from a current RAN to 
a target RAN if the handoff criteria is met by the target RAN. 
Alternatively, the WTRU may send a measurement report to the 
current RAN, whereby the current RAN determines whether handoff 
criteria is met by a selected one of the co-located RANs and 
initiates a handoff to the selected RAN if the handoff criteria is 
met. 」
　
（１０）「［0018］ A WTRU  150  is a multi-mode WTRU equipped with 
at least two radio units configured to support communication with at
least two different RATs. For example, the WTRU  150  may include 
one radio unit for an E-UTRAN and the other radio unit for an 
I-WLAN. The WTRU  150  establishes a connection to one of the RANs 
and may perform a handoff to a target RAN if handoff criteria is met by the target RAN. 」
　
（１１）「［0021］ In a system initiated handoff, the core network  
120 , (or the RAN  110 a,  110 b), recognizes that the WTRU  150  is
 capable of supporting multiple RATs and requests necessary 
information, (such as power measurements), from the WTRU  150 . The 
core network  120 , (or the RAN  110 a,  110 b), tracks the location
 of the WTRU  150  and initiates the handoff procedures based on a 
set of criterion, (such as the mobility of the WTRU  150 , requested
 bandwidth, applications, load balancing, subscriber's profile, the 
measurement reports provided by the WTRU  150 , or the like), once 
the WTRU  150  is within the coverage area of a target RAN. 」
　
（１２）「［0022］ Hereinafter the present invention will be 
explained with reference to an E-UTRAN and an IEEE-based I-WLAN. 
However, it should be noted that the present invention is applicable to any type of RANs using any type of RATs. 」
　
（１３）「［0040］ FIG. 7  is a signaling diagram of a process  700  of an E-UTRAN-initiated handoff from an I-WLAN  170  to an E-UTRAN 
 160  based on a power level in accordance with the present 
invention. The WTRU  150  includes an E-UTRAN radio unit  152  and 
a WLAN radio unit  154 . The WTRU  150  is currently attached to the
 E-UTRAN  160  and listening to an E-UTRAN channel, (such as a BCCH)
 (step  702 ). The E-UTRAN  160  sends, (i.e., broadcasts, 
multicasts or unicasts), a list of RANs, (e.g., I-WANs, a UTRAN, 
a GERAN or a GAN), available within the coverage area of the E-UTRAN
 160  (step  704 ). The WTRU  150  receives the list and stores it 
(step  706 ). The WTRU  150  sends a request for additional 
information, such as the location of service areas of the RANs (step  708 ). The E-UTRAN  160  then retrieves the requested information 
and sends it to the WTRU  150  (steps  710 ). The information may 
include information about the service area locations, radio 
technologies used by the RANs, supported frequencies and data rates, or the like. 
　
［0041］ The E-UTRAN radio unit  152  then forwards the I-WLAN 
information to the WLAN radio unit  154  including a frequency list to help the WLAN radio unit searching the available WLANs and 
initializes the WLAN radio unit (steps  712 ,  714 ). The WLAN radio
 unit  154  monitors the WLAN channels based on the frequency list 
and measures a power level of signals from the I-WLAN  170  (step  
716 ). The WLAN radio unit  154  then sends the measurement report 
to the E-UTRAN radio unit  152  (step  718 ) and the E-UTRAN radio 
unit  152  forwards the measurement report to the E-UTRAN  160  
(step  720 ). 」
　
（１４）「［0044］ The process  700  is applicable to a handoff 
between any types of RANs. For example, the process  700  may be 
applied to a handoff from a UTRAN to an I-WLAN. In such case, 
the UTRAN sends a list of available RANs in the coverage area of 
the UTRAN and the WTRU reports measurement results to the UTRAN and the UTRAN triggers a handoff from the UTRAN to the I-WLAN based on 
the measurement results. 」
　
　引用例２のパテントファミリである特表２００８−５４１６７０号公報の対応する記載は以下のとおりである。
　
（８’）「【０００２】
　さまざまな種類のサービスを提供するために、さまざまな種類の無線アクセスシステムが開発されてきた。無線アクセスシステムのいくつかの例は、無線ローカルエリアネットワーク（ＷＬＡＮ）（ＩＥＥＥ８０２ベースの
ネットワークなど）、およびセルラーネットワーク（ユニバーサルモバイルテレコミュニケーションシステム（ＵＭＴＳ）地上無線アクセスネットワーク（ＵＴＲＡＮ）、発展型ＵＴＲＡＮ（Ｅ−ＵＴＲＡＮ）、ＧＰＲＳ／ＥＤＧＥ無線アクセスネットワーク（ＧＥＲＡＮ）など）を含む。これらのネットワークのそれぞれは、特定の用途向けに開発され、仕立てられている。」
　
（９’）「【０００４】
　本発明は、異なるＲＡＴの下で配備されたＲＡＮ間のハンドオフを実装するための方法および装置に関する。ＷＴＲＵは、ＲＡＴをサポートするために少なくとも２つの無線ユニットが装備される。それぞれのＲＡＮは、ＲＡＮのカバレッジエリアにコロケートされたＲＡＮ（ｃｏ−ｌｏｃａｔｅｄ
　ＲＡＮ）のリストをＷＴＲＵに送信する。ＷＴＲＵは、このリストを格納し、ハンドオフ基準がコロケートされたＲＡＮの１つにより満たされるかどうかを判定する。次いで、ＷＴＲＵは、現在のＲＡＮからターゲットＲＡＮへのハンドオフを、ハンドオフ基準がターゲットＲＡＮによって満たされる場合に開始する。あるいは、ＷＴＲＵは、現在のＲＡＮに測定レポートを送信することができ、これにより現在のＲＡＮは、ハンドオフ基準がコロケートされたＲＡＮの選択された１つによって満たされるかどうかを判定し、ハンドオフ基準が満たされる場合に選択されたＲＡＮへのハンドオフを開始する。」
　
（１０’）「【００１０】
　ＷＴＲＵ１５０は、少なくとも２つの異なるＲＡＴとの通信をサポートするように構成された少なくとも２つの無線ユニットを装備するマルチモードＷＴＲＵである。例えば、ＷＴＲＵ１５０は、Ｅ−ＵＴＲＡＮ用の１つの無線ユニットおよびＩ−ＷＬＡＮ用の他の無線ユニットを含むことができる。ＷＴＲＵ１５０は、ＲＡＮの１つに対して接続を確立し、ハンドオフ基準がターゲットＲＡＮにより満たされる場合にターゲットＲＡＮへのハンドオフを実行することができる。」
　
（１１’）「【００１３】
　システム開始ハンドオフにおいて、コアネットワーク１２０（またはＲＡＮ１１０ａ、１１０ｂ）は、ＷＴＲＵ１５０が複数のＲＡＴをサポートすることができることを認識し、ＷＴＲＵ１５０から必要な情報（電力測定な
ど）を要求する。コアネットワーク１２０（またはＲＡＮ１１０ａ、１１０ｂ）は、ＷＴＲＵ１５０のロケーションを追跡し、ＷＴＲＵ１５０がター
ゲットＲＡＮのカバレッジエリア内にあると、一組の基準（ＷＴＲＵ１５０のモビリティ、要求された帯域幅、アプリケーション、負荷分散、加入者のプロファイル、ＷＴＲＵ１５０により提供された測定レポートなど）に基づいてハンドオフ手順を開始する。」
　
（１２’）「【００１５】
　以降、本発明は、Ｅ−ＵＴＲＡＮおよびＩＥＥＥベースのＩ−ＷＬＡＮを参照して説明されるであろう。しかし、本発明は、任意の種類のＲＡＴを使用して任意の種類のＲＡＮに適用可能であることに留意されたい。」
　
（１３’）「【００３３】
　図７は、本発明による電力レベルに基づくＩ−ＷＬＡＮ１７０からＥ−ＵＴＲＡＮ１６０へのＥ−ＵＴＲＡＮ開始ハンドオフのプロセス７００のシグナリングの図である。ＷＴＲＵ１５０は、Ｅ−ＵＴＲＡＮ無線ユニット１５２およびＷＬＡＮ無線ユニット１５４を含む。ＷＴＲＵ１５０は、現在、Ｅ−ＵＴＲＡＮ１６０にアタッチされており、Ｅ−ＵＴＲＡＮチャネル（ＢＣＣＨなど）をリッスンしている（ステップ７０２）。Ｅ−ＵＴＲＡＮ１６０は、Ｅ−ＵＴＲＡＮ１６０のカバレッジエリア内で利用可能なＲＡＮのリスト（例えば、Ｉ−ＷＬＡＮ、ＵＴＲＡＮ、ＧＥＲＡＮ、またはＧＡＮ）を送信する（すなわち、ブロードキャスト、マルチキャスト、またはユニキャストする）（ステップ７０４）。ＷＴＲＵ１５０は、このリストを受信し、格納する（ステップ７０６）。ＷＴＲＵ１５０は、ＲＡＮのサービスエリアロケーションなどの追加の情報の要求を送信する（ステップ７０８）。Ｅ−ＵＴＲＡＮ１６０は、次いで、要求された情報を取り出し、ＷＴＲＵ１５０に送信する（ステップ７１０）。この情報は、サービスエリアロケーション、ＲＡＮによって使用される無線技術、サポートされている周波数およびデータレートなどに関する情報含むことができる。
　【００３４】
　Ｅ−ＵＴＲＡＮ無線ユニット１５２は、次いで、ＷＬＡＮ無線ユニットが利用可能なＷＬＡＮを探索するのを助ける周波数リストを含むＩ−ＷＬＡＮ情報をＷＬＡＮ無線ユニット１５４に転送し、ＷＬＡＮ無線ユニットを初期化する（ステップ７１２、７１４）。ＷＬＡＮ無線ユニット１５４は、周波数リストに基づいてＷＬＡＮチャネルをモニタし、Ｉ−ＷＬＡＮ１７０からの信号の電力レベルを測定する（ステップ７１６）。ＷＬＡＮ無線ユニット１５４は、Ｅ−ＵＴＲＡＮ無線ユニット１５２に測定レポートを送信し（ステップ７１８）、Ｅ−ＵＴＲＡＮ無線ユニット１５２は、測定レポートをＥ−ＵＴＲＡＮ１６０に転送する（ステップ７２０）。」
　
（１４’）「【００３７】
　プロセス７００は、任意の種類のＲＡＮ間のハンドオフに適用可能であ
る。例えば、プロセス７００は、ＵＴＲＡＮからＩ−ＷＬＡＮへのハンドオフに適用することができる。このような場合、ＵＴＲＡＮは、ＵＴＲＡＮのカバレッジエリアにある利用可能なＲＡＮのリストを送信し、ＷＴＲＵは、測定結果をＵＴＲＡＮにレポートし、ＵＴＲＡＮは、測定結果に基づきＵＴＲＡＮからＩ−ＷＬＡＮへのハンドオフをトリガする。」
　
　上記（１２）及び（１４）のように、引用例２に記載された発明は、任意の種類のＲＡＮ間のハンドオフ（本願発明や引用発明１でいうハンドオーバに相当する。）に適用可能で、上記（８）には無線アクセスシステムの例として、発展型ＵＴＲＡＮ（Ｅ−ＵＴＲＡＮ）及びＧＰＲＳ／ＥＤＧＥ無線アクセスネットワーク（ＧＥＲＡＮ）が示されているので、引用例２には次の発明（以下、「引用発明２」という。）が記載されているといえる。
　
「発展型ＵＴＲＡＮ（Ｅ−ＵＴＲＡＮ）及びＧＰＲＳ／ＥＤＧＥ無線アクセスネットワーク（ＧＥＲＡＮ）との通信をサポートするように構成されたマルチモードＷＴＲＵであって、
　ＧＥＲＡＮへハンドオフ（ハンドオーバ）するために、Ｅ−ＵＴＲＡＮから、利用可能なＲＡＮのリスト及びサービスエリアロケーション、ＲＡＮによって使用される無線技術、サポートされている周波数およびデータレートなどに関する情報を受信し、
　周波数リストに基づいて電力レベルを測定し、Ｅ−ＵＴＲＡＮ無線ユニットに測定レポートを送信するマルチモードＷＴＲＵ。」
　
４．対比
　引用発明１の「ＵＥ」は、「Ｅ−ＵＴＲＡＮから、ＧＳＭ／ＥＤＧＥ　ＲＡＮ（ＧＥＲＡＮ）へ、システム間ハンドオーバするＵＥ」であるから、本願発明と同様に、デュアルモード無線送受信ユニット（ＷＴＲＵ）といえるものであり、「Ｅ−ＵＴＲＡＮ内のＥ−Ｎｏｄｅ　Ｂと通信しながら、現在のサービス提供Ｅ−Ｎｏｄｅ　Ｂよりも良好な任意のＮｏｄｅ　ＢおよびＥ−Ｎｏｄｅ　Ｂを検出するために、近くのＮｏｄｅ　ＢおよびＥ−Ｎｏｄｅ　Ｂからの信号を定期的に探索することができ」とするものであるから、本願発明の「ロングタームエボリューション（ＬＴＥ）／発展型ユニバーサル陸上無線アクセスネットワーク（ＥＵＴＲＡＮ）セル内で無線通信を受信しながら、グローバルシステムフォーモバイル（ＧＳＭ）／ＧＳＭ進化型高速データ伝送（ＥＤＧＥ）無線アクセスネットワーク（ＧＥＲＡＮ）セル情報を受信するように構成される受信機」と同様の機能を備えるものである。
　引用発明１の「測定レポート」は、「Ｅ−ＵＴＲＡＮから、ＧＳＭ／ＥＤＧＥ　ＲＡＮ（ＧＥＲＡＮ）へ、システム間ハンドオーバするＵＥ」が「Ｅ−ＵＴＲＡＮ内のＥ−Ｎｏｄｅ　Ｂと通信しながら、現在のサービス提供Ｅ−Ｎｏｄｅ　Ｂよりも良好な任意のＮｏｄｅ　ＢおよびＥ−Ｎｏｄｅ　Ｂを検出するために、近くのＮｏｄｅ　ＢおよびＥ−Ｎｏｄｅ　Ｂからの信号を定期的に探索すること」で得られたものであるから、ＧＥＲＡＮ周波数に対する測定の測定報告を含むものである。
　また、引用発明１は「ＡＧＷに測定レポートを送信することができる」もので、「ＡＧＷ」に直接送信するのではなく、「現在のサービス提供Ｅ−Ｎｏｄｅ　Ｂ」を介して送信することは明らかであり、本願発明の「ＧＥＲＡＮ周波数に対する測定の測定報告を、移動元発展型ノードＢ（ｅＮＢ）に送信するように構成される送信機」と同様の機能を備えるものである。
　したがって、本願発明と引用発明１とを対比すると、次の点で一致する。
　
「デュアルモード無線送受信ユニット（ＷＴＲＵ）であって、
　ロングタームエボリューション（ＬＴＥ）／発展型ユニバーサル陸上無線アクセスネットワーク（ＥＵＴＲＡＮ）セル内で無線通信を受信しながら、グローバルシステムフォーモバイル（ＧＳＭ）／ＧＳＭ進化型高速データ伝送（ＥＤＧＥ）無線アクセスネットワーク（ＧＥＲＡＮ）セル情報を受信するように構成される受信機と、
　ＧＥＲＡＮ周波数に対する測定の測定報告を、移動元発展型ノードＢ（ｅＮＢ）に送信するように構成される送信機と
を具えたデュアルモード無線送受信ユニット（ＷＴＲＵ）。」
　
　また次の点で相違する。
　
　相違点
　本願発明は「移動元ＬＴＥセルからＧＥＲＡＮセル情報を使用する移動先ＧＥＲＡＮセルを含む他の無線カバレッジエリアにハンドオーバするために使用されることになるＬＴＥ周波数およびＧＥＲＡＮ周波数に対する測定を行うために、利用可能なセルおよびそれらの利用可能なセルの技術のリストを受信するように構成されるプロセッサ」を備えているのに対して、引用発明１は「Ｅ−ＵＴＲＡＮから、ＧＳＭ／ＥＤＧＥ　ＲＡＮ（ＧＥＲＡＮ）
へ、システム間ハンドオーバするＵＥ」であって、「Ｅ−ＵＴＲＡＮ内のＥ−Ｎｏｄｅ　Ｂと通信しながら、現在のサービス提供Ｅ−Ｎｏｄｅ　Ｂよりも良好な任意のＮｏｄｅ　ＢおよびＥ−Ｎｏｄｅ　Ｂを検出するために、近くのＮｏｄｅ　ＢおよびＥ−Ｎｏｄｅ　Ｂからの信号を定期的に探索する」ものであるから、本願発明と同様に「移動元ＬＴＥセルからＧＥＲＡＮセル情報を使用する移動先ＧＥＲＡＮセルを含む他の無線カバレッジエリアにハンドオーバするために使用されることになるＬＴＥ周波数およびＧＥＲＡＮ周波数に対する測定を行う」ものといえるとしても、どのようにしてそのような測定を行うのか明らかでない点。
　
５．相違点に対する判断
　無線送受信ユニット（ＷＴＲＵ）が、ハンドオーバの測定報告のための情報を、測定前に受信することは、上記引用発明２のように普通に行われていることであり、引用発明１においても、測定レポートを送信する前に、本願発明のように「利用可能なセルおよびそれらの利用可能なセルの技術のリストを受信するように」することに困難な点はないし、そのような機能をプロセッサにより実現することに格別の点はない。
　
６．むすび
　以上のとおり、本願発明は、引用発明１及び引用発明２に基づいて、当業者が容易に発明をすることができたものであるから、特許法第２９条第２項の規定により特許を受けることができない。
　よって、結論のとおり審決する。